(57)【要約】【課題】何人も柄部に針板を容易に、かつ、正確に取り付けることができるようにした非能動型接触針を提供する。【解決手段】カートリッジ１と該カートリッジとは別体の柄部３とよりなり、  該カートリッジは凹部５を有し、該カートリッジの上面には両面粘着シート７を該凹部を跨がせた状態で粘着させ、該両面粘着シートの下面には下面に多数の針体９を突設した針板１１を取り付け、該針板は該凹部の底面５ａに接触することなく該凹部に臨ませ、該凹部と該針板と前記柄部の一端とは、相互に対応する大きさと形状とを備え、該柄部の一端を該両面粘着シートを介して該針板に押圧することにより該針板を当該柄部の一端に粘着させるようにしたことを特徴とする非能動型接触針。【選択図】図１
0003132083.tif 000002
【実用新案登録請求の範囲】
【請求項１】
カートリッジと該カートリッジとは別体の柄部とよりなり、
該カートリッジは凹部を有し、該カートリッジの上面には両面粘着シートを該凹部を跨がせた状態で粘着させ、該両面粘着シートの下面には下面に多数の針体を突設した針板を取り付け、該針板は該凹部の底面に接触することなく該凹部に臨ませ、
該凹部と該針板と前記柄部の一端とは、相互に対応する大きさと形状とを備え、
該柄部の一端を該両面粘着シートを介して該針板に押圧することにより該針板を当該柄部の一端に粘着させるようにしたことを特徴とする非能動型接触針。
【請求項２】
前記両面粘着シートには前記針板の外周に対応する位置に弱め線を設けたことを特徴とする請求項１に記載の非能動型接触針。
【請求項３】
前記両面粘着シートの上面に剥離紙を取り付けことを特徴とする請求項１又は２に記載の非能動型接触針。
【考案の詳細な説明】
【技術分野】
【０００１】
本考案は、非能動型接触針に関するものであり、特に、足裏しびれ、上下肢しびれ、指関節痛、腫れ、五十肩、頭痛、腰痛、膝痛、肘痛、筋肉痛、肩こり等の緩和ないし解消に効果のある非能動型接触針に係るものである。
【背景技術】
【０００２】
本出願人等の出願に係る実用新案登録第３１２０９４０号公報は、表面に多数の細かな針体を突設した針板を柄部の台部に着脱自在に取り付けてなる非能動型接触針を開示している。
【特許文献１】実用新案登録第３１２０９４０号公報
【考案の開示】
【考案が解決しようとする課題】
【０００３】
上記従来の非能動型接触針は、前述の如き効果を有するものではあるが、針板と柄部の台部とは共に小さなものであり、このような台部に針板を正確に取り付けることは通常の非能動型接触針使用者においては困難である。特に、視力の弱い使用者、老眼の使用者等においては、台部に針板を正確に取り付けることは極めて困難である。
【０００４】
本考案は、上記従来の非能動型接触針における上述の如き問題を解決し、何人も柄部に針板を容易に、かつ、正確に取り付けることができるようにした非能動型接触針を提供しようとしてなされたものである。
【課題を解決するための手段】
【０００５】
上記課題を解決するために、本考案は、下記の非能動型接触針を提供する。
【０００６】
（１）カートリッジと該カートリッジとは別体の柄部とよりなり、
該カートリッジは凹部を有し、該カートリッジの上面には両面粘着シートを該凹部を跨がせた状態で粘着させ、該両面粘着シートの下面には下面に多数の針体を突設した針板を取り付け、該針板は該凹部の底面に接触することなく該凹部に臨ませ、
該凹部と該針板と前記柄部の一端とは、相互に対応する大きさと形状とを備え、
該柄部の一端を該両面粘着シートを介して該針板に押圧することにより該針板を当該柄部の一端に粘着させるようにしたことを特徴とする非能動型接触針（請求項１）。
【０００７】
（２）前記両面粘着シートには前記針板の外周に対応する位置に弱め線を設ける（請求項２）。
【０００８】
（３）前記両面粘着シートの上面に剥離紙を取り付ける（請求項３）。
【考案の効果】
【０００９】
［請求項１の考案］
使用者は、柄部の一端を両面粘着シートを介してカートリッジにおける凹部に臨む針板に押圧することにより該針板を当該柄部の一端に粘着させることができるため、柄部の一端に針板を粘着させる作業は極めて容易である。すなわち、視力の弱い使用者、老眼の使用者等の場合でも、柄部の一端に針板を粘着させる作業は極めて容易である。
【００１０】
両面粘着シートはカートリッジの凹部を跨がせた状態で該カートリッジの上面に粘着させ、該両面粘着シートの下面には針板を該凹部に臨ませた状態で取り付けているため、針板は凹部と両面粘着シートとにより密閉された状態となる。したがって、針板に雑菌類、ホコリ等が付着するおそれはない。
【００１１】
針板は凹部の底面に接触することなく該凹部に臨ませているため、該針板の針体が使用前に損傷することはない。
【００１２】
［請求項２の考案］
両面粘着シートには前記針板の外周に対応する位置に弱め線を設けているため、柄部の一端を両面粘着シートを介して針板に押圧することにより、該両面粘着シートは該弱め線に沿って切断される。このようにして縁部が切除された両面粘着シートの形状は針板の形状と柄部の一端の形状とに対応するものとなる。したがって、柄部の一端には、両面粘着シートと針板とが揃った状態できれいに粘着する。
【００１３】
[請求項３の考案]
両面粘着シートの上面に剥離紙を取り付けているため、使用前に針板上面の両面粘着シートに汚れ、雑菌等、ホコリ等が付着するおそれはない。
【考案を実施するための最良の形態】
【００１４】
本考案による非能動型接触針は、カートリッジ１と該カートリッジ１とは別体の柄部３とよりなる。
【００１５】
図示の柄部３の一端３ａは、柄部３よりも大径の台部である。
【００１６】
カートリッジ１は凹部５を備えている。
【００１７】
カートリッジ１の上面には両面粘着シート７を該凹部５を跨がせた状態で粘着させる。
【００１８】
両面粘着シート７の下面には下面に多数の針体９、９・・・を突設した針板１１を取り付ける。
【００１９】
針板１１は、一例として、直径約１０ｍｍの薄い円板状をなし、下面に３７６個の針体９、９・・・を備えてなる。針板１１と針体９、９・・・とは合成樹脂により一体的に形成される。
【００２０】
図６に示す事例における針体９は略円柱状をなしているが、針体９の形状はこれに限定されるものではない。
【００２１】
針板１１は凹部５の底面５ａに接触することなく該凹部５に臨ませる。すなわち、針板１１と凹部５の底面５ａとの間には空間１３が存する。
【００２２】
凹部５と針板１１と柄部３の一端３ａとは、相互に対応する大きさと形状とを備えている。
【００２３】
図示の事例においては、凹部５と針板１１と柄部３の一端３ａとは、相互に略同一直径の円形を備えている。
【００２４】
柄部３の一端３ａを両面粘着シート７を介して針板１１に押圧することにより該針板１１を当該柄部３の一端３ａに粘着させるようになす。
【００２５】
針板１１の下面に突設された針体９、９・・・は、常時は凹部５の底面５ａに接触していないのであるが、柄部３の一端３ａを両面粘着シート７を介して針板１１に強く押圧した時には、針板１１下面の針体９、９・・・は凹部５の底面５ａに接触する。
【００２６】
両面粘着シート７には、針板１１の外周に対応する位置に弱め線１５を設ける。
【００２７】
弱め線１５は、一例として、両面粘着シート７に穿孔することにより形成する。
【００２８】
両面粘着シート７の上面に剥離紙１７を取り付ける。
【００２９】
柄部３の一端３ａを両面粘着シート７を介して針板１１に押圧する前に、剥離紙１７を除去する必要があることはいうまでもない。
【００３０】
本考案による非能動型接触針は、柄部３の一端３ａに針板１１を粘着させた状態で、柄部３を手指に持って針板１１下面の針体９、９・・・を人体１９に押圧する。針板１１を使用した後、該針板１１を柄部３の一端３ａから除去し、新しい針板１１を上記と同様に柄部３の一端３ａに取り付けることができることはいうまでもない。
【図面の簡単な説明】
【００３１】
【図１】本考案による非能動型接触針における柄部の一端に針板を取り付けつつある状態を示す断面図である。
【図２】カートリッジ、針板等を分解して示す斜視図である。
【図３】同上非能動型接触針を示す斜視図である。
【図４】同上非能動型接触針の使用状態を示す側面図である。
【図５】針板の斜視図である。
【図６】針板を拡大して示す断面図である。
【符号の説明】
【００３２】
１  カートリッジ
３  柄部
３ａ  一端
５  凹部
５ａ  底面
７  両面粘着シート
９  針体
１１  針板
１３  空間
１５  弱め線
１７  剥離紙
１９  人体
【図１】
0003132083.tif 000003
【図２】
0003132083.tif 000004
【図３】
0003132083.tif 000005
【図４】
0003132083.tif 000006
【図５】
0003132083.tif 000007
【図６】
0003132083.tif 000008